(57)【要約】【課題】  印画紙の現像処理プロセスを変更することなく、高速な露光処理が可能となる露光装置を構成する。【解決手段】  レーザ光源３３ｒ、３３ｇ、３３ｂからのレーザビームを光量調節機構４４ｒ、４４ｇ、４４ｂで光量を調節し、回転型のポリゴンミラー３６で反射させて画像データを走査する形態で印画紙Ｐに露光する処理と、レーザ光源３３ｒ、３３ｇ、３３ｂからのレーザビームを光量調節機構４４ｒ、４４ｇ、４４ｂで光量を、印画紙Ｐを感光させず増感効果を得る光量に設定し、ポリゴンミラー３６で反射させて走査する形態での副露光を行う処理とを交互に行う。【選択図】        図４
2005164847.tif 000002
【特許請求の範囲】
【請求項１】
感光材料を副走査方向に搬送しながら、この感光材料に対して主走査方向にレーザビームを走査することにより露光を行う画像露光部を備えている露光装置であって、
前記レーザビームによる露光を行う以前、又は、露光の後に前記感光材料に対して、前記感光材料に増感効果を付与する光量の光線を照射する副露光手段を備えている露光装置。
【請求項２】
前記画像露光部は、レーザ光源からのレーザビームの光量を調節する光量調節機構と、この光量調節機構で光量が調節されたレーザビームを反射させることで走査を行う回転型のポリゴンミラーとを備え、画像露光手段が画像データに基づいて前記光量調節機構を制御するよう構成されると共に、
前記副露光手段は、前記レーザ光源からのレーザビームを前記光量調節機構を制御することにより予め設定された光量のレーザビームを送り出し、前記ポリゴンミラーで反射させ、このレーザビームを走査する形態で前記感光材料に照射する制御を行うよう構成されている請求項１記載の露光装置。
【請求項３】
前記画像露光手段で制御されたレーザビームと、前記副露光手段で制御されたレーザビームとを交互に送り出し、前記ポリゴンミラーの複数のミラー面の異なるミラー面で反射させるよう、前記画像露光手段と副露光手段とによる制御タイミングが設定されている請求項２記載の露光装置。
【請求項４】
前記レーザ光源は、Ｒ、Ｇ、Ｂの三原色を成す３種の発光部を備え、前記光量調節機構は、前記３種の発光部に対応して３つ備えられ、前記副露光手段は、前記３つの光量調節機構を制御して予め設定された光量の比率でＲ、Ｇ、Ｂの三原色に対応したレーザビームを送り出すよう制御形態が設定されている請求項２又は３記載の露光装置。
【請求項５】
前記副露光手段が、前記レーザビームによる露光位置を基準にして、前記感光材料の搬送方向の上流側、又は、下流側において前記感光材料に対して露光を行う副露光光源を備えて構成されている請求項１記載の露光装置。
【発明の詳細な説明】
【技術分野】
【０００１】
本発明は、感光材料を副走査方向に搬送しながら、この感光材料に対して主走査方向にレーザビームを走査することにより露光を行う画像露光部を備えている露光装置に関する。
【背景技術】
【０００２】
上記のように構成された露光装置として特許文献１に示すものが存在する。この特許文献１では、感光材料をＣ・Ｍ・Ｙの三原色に発色させるよう半導体レーザを光源とする３種の光源部を備え、夫々の光源部からの光線の光量を決定する変調回路と、光源部からの光線を反射させることにより走査を実現する回転型のポリゴンミラーと、感光材料を副走査方向に搬送する副走査搬送手段とを備え、記録画像に基づき光源部の発光時間を制御することにより、感光材料に対して画像を形成するよう構成されている。
【０００３】
【特許文献１】特開平６‐１０６７７４号公報  （段落番号〔００１８〕〜〔００４２〕、図１）
【発明の開示】
【発明が解決しようとする課題】
【０００４】
上記のように構成された露光装置において、露光処理速度を向上させるためには、感光材料の搬送速度を高め、レーザビームによる走査速度を高めることが考えられる。しかしながら、印画紙で代表される感光材料は、特許文献１にも記載されるように相反則不軌の性質から、例えば、走査を高速で行うことによって露光時間が１／２に短縮した場合に、レーザビームの光量を２倍に増大させても必要とする濃度の画像が得られないものであった。このように処理速度を高めたことに起因して感光材料に形成される画像の濃度が低下する不都合を解消するためには、レーザビームの光量を更に高める必要があるものの、装置の大型化や消費電力の増大等の点で現実的ではなく改善の余地があった。
【０００５】
また、露光処理速度を向上させるために、感光材料の搬送速度を高め、レーザビームによる走査速度を高めた場合において、必要とする画像の濃度を得るために、例えば、高感度の感光材料を用いることや、現像処理のプロセスにおいて感光材料を増感処理することも有効である。しかしながら、高感度の感光材料を用いるものでは、現在一般的に使用されている汎用性が高い感光材料が使用できなくなり、また、現像処理のプロセスにおいて感光材料を増感処理する手段として現像時間を延長するものでは、処理時間全体を延長するものとなり、更に、現像処理のプロセスにおいて感光材料を増感処理する手段として特殊な現像処理材を用いるものでは、現在一般的に使用されている現像処理材が使用できなくなり改善の余地がある。
【０００６】
本発明の目的は、感光材料や現像処理のプロセスを変更することなく、高速な露光処理が可能な露光装置を合理的に構成する点にある。
【課題を解決するための手段】
【０００７】
本発明の特徴は、感光材料を副走査方向に搬送しながら、この感光材料に対して主走査方向にレーザビームを走査することにより露光を行う画像露光部を備えている露光装置において、前記レーザビームによる露光を行う以前、又は、露光の後に前記感光材料に対して、前記感光材料に増感効果を付与する光量の光線を照射する副露光手段を備えている点にある。
【０００８】
この構成により、走査速度を高めることによってレーザビームの照射時間が短縮した場合でも、副露光手段によって光線を照射することにより、増感と同様の効果を得るものとなり現像処理後の感光材料の画像の濃度を高めることが可能となる。つまり、副露光によって感光材料の増感が実現する点は、従来から知られた技術であるが（潜像補力とも称される）、レーザビームによる露光と、副露光とを組み合わせることにより、レーザビームの走査速度を高めた場合でも、高感度の感光材料を用いることや、現像処理時間を延長することなどの特殊な処理を行わずとも、感光材料に形成される画像の濃度を高めることが可能となることを見い出し、これに基づいて高速な露光処理を実現するのが本発明である。
【０００９】
本発明は、前記画像露光部として、レーザ光源からのレーザビームの光量を調節する光量調節機構と、この光量調節機構で光量が調節されたレーザビームを反射させることで走査を行う回転型のポリゴンミラーとを備え、画像露光手段が画像データに基づいて前記光量調節機構を制御するよう構成されると共に、前記副露光手段は、前記レーザ光源からのレーザビームを前記光量調節機構を制御することにより予め設定された光量のレーザビームを送り出し、前記ポリゴンミラーで反射させ、このレーザビームを走査する形態で前記感光材料に照射する制御を行うよう構成しても良い。
【００１０】
この構成により、画像を形成するために使用されるレーザビームを副露光に使用するために、特別な光源を用いずに済むばかりでなく、レーザビームを走査する形態で副露光を行うので、感光材料の全面に対して均一な光量の光線を照射して、濃度にムラのない増感効果を得るものとなる。
【００１１】
本発明は、前記画像露光手段で制御されたレーザビームと、前記副露光手段で制御されたレーザビームとを交互に送り出し、前記ポリゴンミラーの複数のミラー面の異なるミラー面で反射させるよう、前記画像露光手段と副露光手段とによる制御タイミングを設定しても良い。
【００１２】
この構成により、画像形成のためのレーザビームの走査と、副露光のためのレーザビームの走査とを交互に行えるので、感光材料の全面に副露光を行う場合に無理がない。
【００１３】
本発明は、前記レーザ光源として、Ｒ、Ｇ、Ｂの三原色を成す３種の発光部を備え、前記光量調節機構は、前記３種の発光部に対応して３つ備えられ、前記副露光手段は、前記３つの光量調節機構を制御して予め設定された光量の比率でＲ、Ｇ、Ｂの三原色に対応したレーザビームを送り出すよう制御形態を設定しても良い。
【００１４】
この構成により、カラー印画紙のようにカラー画像が形成される感光材料に対しても、Ｒ、Ｇ、Ｂの三原色を成す３種の発光部からのレーザビームの光量の比率を、灰色等の無彩色に発色させる光量の比率に設定し、かつ、この比率に等しい比率で副露光を行えるので、カラーバランスを崩すことがない。特に、感光材料において例えば、Ｃ・Ｍ・Ｙ各色についての相反則不軌の特性が異なる場合でも、夫々の色に対応したレーザビームの光量を調節してカラーバランスを崩さないものにできる。
【００１５】
本発明は、前記副露光手段が、前記レーザビームによる露光位置を基準にして、前記感光材料の搬送方向の上流側、又は、下流側において前記感光材料に対して露光を行う副露光光源を備えても良い。
【００１６】
この構成により、例えば、主走査方向に平行姿勢となる副露光用のライン状の発光体を露光位置より上流側や下流側に配置することや、副露光用に低照度のストロボライトを走査露光位置より上流側や下流側に配置すること等により、副露光を実現して、必要とする増感を実現するものとなった。
【発明を実施するための最良の形態】
【００１７】
以下、本発明の実施形態を図面に基づいて説明する。
〔全体構成〕図１に示すように、現像済みの写真フィルムＦの画像情報のデジタル信号化を行い、デジタル信号化された画像情報の処理を行い、システム全体の基本的な制御を行うオペレート部Ａを備えると共に、感光材料としての銀塩式のカラー印画紙Ｐ（以下、印画紙Ｐと略称する）に対して露光処理と現像処理とを行い、乾燥処理を行った後に送り出すプリント部Ｂを備えることによりデジタルミニラボと称せられる写真処理システムが構成されている。
【００１８】
〔オペレート部〕前記オペレート部Ａは、デスク部１に対して写真フィルムＦのコマ画像の情報を光電変換によりデジタル信号化して取り込むフィルムスキャナ２と、各種情報を表示するディスプレイ３と、画像処理と各種処理とを実現するよう汎用コンピュータで成る処理装置４とを配置し、デスク部１の上面に情報を入力するためのキーボード５と、マウス６とを備えている。前記処理装置４の上部位置にＣＤやＭＯやＦＤ等のディスク型の記憶手段からの情報を取得する、あるいは、半導体型の記憶手段からの情報を取得するよう記憶手段の構造に対応したメディアドライブ７を備え、内部に情報を保存する半導体メモリやハードディスク等（図示せず）を備えている。
【００１９】
前記フィルムスキャナ２は、下部に発光ダイオードやハロゲンランプ等を有した光源部を配置し、中間部にズームレンズを配置し、上部にズームレンズからの画像情報をＲ（赤）、Ｇ（緑）、Ｂ（青）の三原色に色分解して取り込むラインＣＣＤ型の光電変換部を配置して構成されている。このフィルムスキャナ２では、写真フィルムＦのスキャニングを行う場合には、その写真フィルムＦのサイズに適合したフィルムキャリア８を光源部の上面に装着してスキャニングを開始することにより、写真フィルムＦを副走査方向（長手方向）に搬送する作動と同期して光電変換部において写真フィルムＦの画像情報を主走査方向に沿ってデジタル信号化して取り込む処理が行われ、このように取り込まれた画像情報は、前記処理装置４に転送され前記半導体メモリやハードディスクに保存される（構成の詳細は後述する）。
【００２０】
〔プリント部〕前記プリント部Ｂは、図１及び図２に示すように、露光ブロックＥｘと、現像ブロックＤｅと、乾燥ブロックＤｒとを筐体１０に収納して成ると共に、筐体１０の外部には、処理の後に筐体１０の上部から水平方向に送り出される印画紙Ｐを搬送するベルト搬送機構１１を備え、このベルト搬送機構１１から送られる印画紙Ｐをオーダ単位で仕分けて集積するよう複数のトレー１２を有したソータ１３を備え、更に、ベルト搬送機構１１の下方位置には大きいサイズの印画紙Ｐを受け止めるラック１４を備えている。
【００２１】
前記現像ブロックＤｅは、発色現像槽と漂白定着槽と安定槽とで成る複数の現像処理槽１５を備えると共に、夫々の現像処理槽１５に印画紙Ｐを供給する搬送機構を備えている。前記乾燥ブロックＤｒは図面には示さないが、現像ブロックＤｅから送り出される印画紙Ｐを搬送する搬送機構と、この搬送機構で搬送される印画紙Ｐに対してヒータで加熱された空気を供給するブロワーを備えている。
【００２２】
前記露光ブロックＥｘ（本発明の露光装置の一例）は、印画紙マガジンＭからの印画紙Ｐを前搬送ユニットＵｆで露光ユニットＵｅに供給し、この露光ユニットＵｅでは印画紙Ｐを副走査方向に搬送しながら画像データの露光を行い、この露光ユニットＵｅで露光された印画紙Ｐを後搬送ユニットＵｒで前記現像処理槽１５に送り込むよう基本的な処理形態が設定されている。
【００２３】
具体的に説明すると、前搬送ユニットＵｆは、２つの印画紙マガジンＭ、Ｍの一方に収納したロール状の印画紙Ｐを、搬送ローラ１６によって引き出し、カッター１７でプリントサイズに切断し、裏面側に印字ヘッド１８によって必要な情報をプリントした後、フィーダ１９によって上方に送り露光ユニットＵｅに供給するよう構成されている。
【００２４】
前記露光ユニットＵｅは、前記フィーダ１９からの印画紙Ｐを受取ローラ２０で受け取り、この受取ローラ２０からの印画紙Ｐを駆動ローラ２１と従動ローラ２２とで成る２組の露光搬送ローラによって上方（副走査方向）に搬送しながら、露光位置Ｘにおいて画像露光部としての露光エンジンＥからのレーザビームによって主走査方向に露光を行うよう構成されている。前記一対の駆動ローラ２１は搬送モータ２１Ｍからの駆動力で等しい速度で駆動されるよう構成されている。また、この露光ユニットＵｅでは、受取ローラ２０から送られる印画紙Ｐを、下側の露光搬送ローラで受け取る際には、従動ローラ２２を開放位置に設定しておき、印画紙Ｐが圧着可能な位置まで搬送されたタイミングで従動ローラ２２を圧着位置に切換え、これと同様に、上側の露光搬送ローラで印画紙Ｐを受け取る際には、従動ローラ２２を開放位置に設定しておき、印画紙Ｐが圧着可能な位置まで搬送されたタイミングで従動ローラ２２を圧着位置に切換えることにより、円滑な搬送を実現している。
【００２５】
前記後搬送ユニットＵｒは、前記露光ユニットＵｅからの印画紙Ｐを、圧着型の複数の搬送ローラ２３を有した湾曲搬送部Ｕ１で搬送方向を縦方向から水平方向に変換し、一対のチャッカー２４を備えた振り分け搬送部Ｕ２で２列となる振り分け経路に振り分け、このように振り分けられた印画紙Ｐを圧着型の複数の搬送ローラ２５を備えた導入搬送部Ｕ３から前記現像ブロックＤｅの現像処理槽１５に導入するよう構成されている。
【００２６】
前記露光エンジンＥは、図３及び図４に示すように、レーザビームを送り出す開口部に防塵ガラス３１を備えた密封構造となるアルミニウム合金等の軽金属合金のハウジング３２と、このハウジング３２の内部に収容したレーザ光源ユニットとで構成されている。レーザ光源ユニットは、Ｒ（赤）、Ｇ（緑）、Ｂ（青）の三原色のレーザ光源３３ｒ、３３ｇ、３３ｂと、このレーザ光源３３ｒ、３３ｇ、３３ｂからのレーザビームの強度（光量）を調節する音響光学変換素子で成る光量調節機構４４ｒ、４４ｇ、４４ｂと、レーザビームを反射するビームミラー３５ｒ、３５ｇ、３５ｂと、このビームミラー３５ｒ、３５ｇ、３５ｂからのレーザビームが導かれるポリゴンミラー３６と、このポリゴンミラー３６を駆動信号により同期回転する電動モータ３７と、ポリゴンミラー３６で反射されたレーザビームを露光位置Ｘの印画紙Ｐに導くｆθレンズ群３８と、ポリゴンミラー３６からのレーザビームが走査端に達したタイミングをタイミングミラー３９で反射されたレーザビームから検出する同期センサ４０とを備えている。
【００２７】
前記Ｒ（赤）のレーザ光源３３ｒは半導体レーザ型に構成され、前記Ｇ（緑）とＢ（青）とのレーザ光源３３ｇ、３３ｂは固体レーザ型に構成されている。前記ポリゴンミラー３６は、前記電動モータ３７からの駆動力により縦向き姿勢の軸芯Ｙ周りで回転自在に支持されている。この電動モータ３７は外部から駆動信号を供給することにより、駆動信号の周波数に対応した回転数で回転する構造のものが使用され、また、このポリゴンミラー３６は、軸芯Ｙに沿う方向視で正多角形となる外周面を平坦な鏡面に仕上ることにより複数のミラー面３６ｍが形成されている。前記ｆθレンズ群３８は複数のシリンドリカルレンズで成り、ポリゴンミラー３６の回転によって主走査方向に等角度走査（一定の角速度で走査）されるレーザビームを、印画紙Ｐの感光面上で等速走査（一定の線速度で走査）するレーザビームに変換するよう機能する。
【００２８】
〔制御系〕前記処理装置４は、図５に示すように、マイクロプロセッサＣＰＵに対してデータバスを介して情報のアクセスが可能な半導体メモリＲＡＭ／ＲＯＭ、ハードディスクＨＤ、通信インタフェース５１を備えると共に、前記メディアドライブ７、ディスプレイ３、キーボード５、マウス６夫々がデータバスに対して情報をアクセスするよう接続され、入出力インタフェースＩ／Ｏを介して前記フィルムスキャナ２が接続している。また、この処理装置４では、ディスプレイ３に表示された情報に従って各種の処理を前記キーボード５やマウス６の操作により実現するよう、ソフトウエアで成るオペレーションシステム５２と、オーダ情報に基づいてプリント処理を実行するオーダ実行手段５３と、ディスプレイ３に対してプリント対象に設定された画像データを表示した状態で画像データの補正を実現する補正手段５４と、露光エンジンＥにおいて副露光を行う際に設定されるパラメータを保存する副露光パラメータ保存部５５とを備えている。
【００２９】
前記プリント部Ｂの露光ブロックＥｘには、印画紙Ｐの搬送の制御と、露光の制御とを行うための処理装置６１を備えている。この処理装置６１は、マイクロプロセッサＣＰＵに対してデータバスを介して情報のアクセスが可能な半導体メモリＲＡＭ／ＲＯＭ、通信インタフェース６２を備えると共に、前記前搬送ユニットＵｆ、後搬送ユニットＵｒ夫々において印画紙Ｐの搬送を制御する搬送制御部６３と、前記露光ユニットＵｅにおいて露光を実現する露光制御部６４とを備えている。
【００３０】
前記露光制御部６４は、画像データを印画紙Ｐに露光する画像露光手段６４Ａと、副露光パラメータに基づいて印画紙Ｐに副露光を行う副露光手段６４Ｂと、前記ポリゴンミラー３６の回転速度を制御するポリゴンミラー制御手段６４Ｃと、露光ユニットＵｅにおいて印画紙Ｐの搬送速度（単位時間内の搬送量）を制御する搬送制御手段６４Ｄとを備えており、夫々はソフトウエア又はハードウエア又はこれらの組み合わせて構成されている。
【００３１】
このように構成された写真処理システムによってプリントを行う際には、フィルムスキャナ２で写真フィルムＦから取り込んだ画像データ、あるいは、メディアドライブ７を介して取り込んだ画像データをハードディスクＨＤに保存し、このようにハードディスクＨＤに保存した複数の画像データからプリント対象とする画像データを指定し、プリントサイズや印画紙Ｐの種類等に基づいてチャンネル値を設定することにより、前記オペレートシステム５２が、ディスプレイ３に対してプレジャッジ画面を表示し、この画面中にプリント対象に指定された画像データをサムネイル形式で表示する。このようにプレジャッジ画面が表示された状態では、オペレータの操作に基づいてプリント枚数の設定や、前記補正手段５４による補正処理を行え、プリントに必要なオーダ情報が取得される。
【００３２】
このようにオーダ情報が取得された後には、オペレータがプリント処理を実行することにより、前記オーダ実行手段５３が、画像データと、オーダ情報と、副露光パラメータ保存部５５から抽出された副露光パラメータとをオペレート部Ａの通信インタフェース５１からプリント部Ｂの通信インタフェース６２に送り、これらがプリント部Ｂの半導体メモリＲＯＭに保存され、このように保存された画像データと、オーダ情報と、副露光パラメータとに基づいて前記処理装置６１の搬送制御手段６３が印画紙Ｐの搬送を行い、露光制御部６４が印画紙Ｐに対する露光を行うことでプリントが実現するのである。尚、副露光パラメータ保存手段５５には、複数種の印画紙Ｐに対応する複数の副露光パラメータが保存され、印画紙Ｐの種類に対応した副露光パラメータを抽出することにより、カラーバランスを崩さない副露光を実現する（副露光については後述する）。
【００３３】
前記プリント部Ｂは、露光ブロックＥｘにおいてポリゴンミラー制御手段６４Ｃがポリゴンミラー３６の回転速度を比較的高速度に設定し、この速度と対応して搬送制御手段６４Ｄが印画紙Ｐを高速で搬送しながら画像露光手段６４Ａがレーザビームで画像データの露光を行うことにより、高速度での露光処理を実現しており、本発明は、露光処理を行う際に、副露光手段６４Ｂがレーザビームで副露光（印画紙Ｐを感光させず増感効果を得る光量での露光）を行うことにより、相反則不軌に起因する濃度低下を抑制して印画紙Ｐに形成される画像の濃度を適正な値に維持する点に特徴を有するものである。
【００３４】
前記露光制御部６４による露光処理の概要（露光ルーチン）を図６のフローチャートのように示すことが可能である。この処理が行われる際には、１フレームを構成するＲ（赤）、Ｇ（緑）、Ｂ（青）の三原色の画像データを、半導体メモリ（ＲＡＭ）に形成された３つの記憶領域に対して８ビットの濃度データを有するビットマップ構造として展開する処理を予め行った後に、ポリゴンミラー制御手段６４Ｃが設定された周波数の駆動信号により電動モータ３７を駆動してポリゴンミラー３６を設定された回線速度で回転させ、この回転と同期した速度で搬送制御手段６４Ｄが前記搬送モータ２１Ｍを駆動することによって印画紙Ｐの搬送を開始し、また、副露光パラメータを設定する（＃０１、＃０２ステップ）。
【００３５】
この搬送によって印画紙Ｐが露光可能な位置に達した後には、画像露光手段６４Ａが前記同期センサ４０でレーザビームを検出した所定のタイミングでＲ（赤）、Ｇ（緑）、Ｂ（青）夫々の画像データのうち画像データの先頭に位置するライン状の領域の濃度データを順次読み出し、この濃度データに基づいて前記光量調節機構４４ｒ、４４ｇ、４４ｂを制御することにより、レーザビームで走査する形態で印画紙Ｐに対して主走査方向に沿ったライン状に露光を行う（＃０３、＃０４ステップ）。次に、前記同期センサ４０でのレーザビームの検出に基づいた所定のタイミングで、副露光手段６４Ｂが前記副露光パラメータに基づいて前記光量調節機構４４ｒ、４４ｇ、４４ｂを制御することにより、レーザビームで走査する形態で印画紙Ｐに対して主走査方向に沿ったライン状に副露光を行う（＃０５ステップ）。
【００３６】
前述のように副露光を行う場合には、ポリゴンミラー３６の複数のミラー面３６ｍのうち、画像データの露光に用いられたミラー面３６ｍに隣接するミラー面３６ｍで副露光用のレーザビームを反射させ、このレーザビームを先に行われた画像データの露光エリアの幅（副走査方向での幅）の１／２だけ副露光の幅が重複するよう、印画紙Ｐの搬送速度が設定されている。この処理では、画像データの露光を先に行い、副露光を後に行っているが、この順序は逆であっても良い。
【００３７】
前記副露光パラメータは、副露光を行う際のＲ（赤）、Ｇ（緑）、Ｂ（青）の三原色の光量の比率を設定するものである。相反則不軌の影響を受けない露光時間領域において、黒色や灰色の無彩色を得るためのＲ（赤）、Ｇ（緑）、Ｂ（青）の三原色の光量の比率が決まったものであっても、相反則不軌の影響を受ける露光時間領域では、無彩色を得るためのＲ（赤）、Ｇ（緑）、Ｂ（青）の三原色の光量が変化する特性となる印画紙Ｐも存在することから、印画紙Ｐのメーカや種類に基づき前記副露光パラメータ保存部５５からパラメータが抽出され、この副露光パラメータに基づいて副露光手段６４Ｂが副露光を行うことによりカラーバランスを崩さない増感を実現する。
【００３８】
次に、露光終了までは、画像データの読み出し位置を１ラインずつ副走査方向にシフトさせる形態での画像データの露光と、前述した副露光とを交互に繰り返して行い、全ての画像データの露光を終了した時点で露光ルーチンの処理を終了するのである（＃０６、＃０７ステップ）。
【００３９】
また、画像データの露光と、副露光とを図７（ａ）、（ｂ）、（ｃ）のように模式的に表すことが可能である。つまり、画像データが露光された後に副露光を行う際には、レーザビームによる画像露光領域Ｇの幅Ｗの１／２だけ副走査方向にシフトした位置にレーザビームによる副露光が行われる。副露光領域Ｓの幅Ｗも画像露光領域Ｇの幅Ｗと等しい。次に、画像データの露光を行う際には、先の画像露光領域Ｇと隙間なく隣接する位置に画像データの露光が行われ、これと同様に、副露光が行われる際には、先の副露光領域Ｓと隙間なく隣接する位置に副露光が行われ、結果として、印画紙Ｐの全面に対して画像データの露光を行うと同時に、印画紙Ｐの全面に対して均一な光量での副露光を行うものとなっている。
【００４０】
このように、本発明ではレーザビームを用いて印画紙Ｐに対してライン状に露光を行うことにより潜像を形成し、この後、現像処理を行うことにより潜像を顕像化して画像を得る写真処理システムにおいて、印画紙Ｐに対し画像データの露光を行う際には、レーザビームによる画像データの露光と、レーザビームによる副露光とを交互に行うことにより、副露光用の光源や露光系を特別に備えない構造でありながら、画像データの露光による画像の濃度不足を解消しており、印画紙Ｐの搬送速度を高め、ポリゴンミラー３６の回転速度を高めることにより露光処理の効率を高めた場合でも、適正な濃度の画像を得るものにしているのである。特に、副露光を行う際には、印画紙Ｐの特性に基づいて副露光を行うレーザビームのＲ（赤）、Ｇ（緑）、Ｂ（青）の光量の比率を副露光パラメータに基づいて設定することにより、カラーバランスを崩さず良好な発色を得るものにしている。
【００４１】
〔別実施の形態〕
本発明は、上記した実施の形態以外に以下のように構成しても良い（この別実施の形態では前記実施の形態と同じ機能を有するものには、実施の形態と共通の番号、符号を付している）。
【００４２】
（イ）図８に示すように、露光エンジンＥの露光位置Ｘを基準にして印画紙Ｐの搬送方向での上流側、下流側の何れか一方、あるいは、上流側と下流側とに副露光手段としてライン状の副露光光源７０を備えても良い。この副露光光源７０は、主走査方向に沿う直線状の領域に副露光用の光線を照射するよう、棒状の蛍光ランプと、この蛍光ランプの光量を減ずるＮＤフィルターとを組み合わせた構造を想定しており、副露光光源７０を備えることにより、印画紙Ｐの全面に対してムラなく副露光を行え、ポリゴンミラー３６の回転速度を高めて露光処理の効率を高めた場合でも、適正な濃度の画像を得るものになる。
【００４３】
（ロ）図９に示すように、プリント対象として設定した画像データを構成するライン状のデータＤｇと、副露光データＤｓとを交互に配置したデータを、露光データとして生成し、この露光データを読み出し、レーザビームによって露光を行うよう処理形態を設定することも可能である。このように露光データを生成した場合には、画像データに対する感光材料の副走査方向への搬送量を１／２に設定するだけで、画像データＤｇと副露光データＤｓとを交互に読み出して露光する処理形態を採用しなくて済み、処理形態を簡素化するものとなる。
【００４４】
（ハ）露光エンジンＥの内部に、副露光専用のレーザ光源を備えることや、副露光のためのレーザビームを反射するための専用の反射面をポリゴンミラーに形成しても良い。
【図面の簡単な説明】
【００４５】
【図１】写真処理システムの斜視図
【図２】プリント部の断面図
【図３】露光エンジンの断面図
【図４】露光系を模式的に示す斜視図
【図５】写真処理システムの制御系のブロック回路図
【図６】露光ルーチンのフローチャート
【図７】画像データの露光と副露光との露光形態を模式的に示す図
【図８】別実施の形態（イ）の露光形態を示す側面図
【図９】別実施の形態（ロ）のデータ構造を示す模式図
【符号の説明】
【００４６】
３３          レーザ光源
３６          ポリゴンミラー
３６ｍ        ミラー面
４４          光量調節機構
６４Ａ        画像露光手段
６４Ｂ        副露光手段
７０          副露光光源
Ｅ            画像露光部
Ｐ            感光材料
Ｘ            露光位置
【図１】
2005164847.tif 000003
【図２】
2005164847.tif 000004
【図３】
2005164847.tif 000005
【図４】
2005164847.tif 000006
【図５】
2005164847.tif 000007
【図６】
2005164847.tif 000008
【図７】
2005164847.tif 000009
【図８】
2005164847.tif 000010
【図９】
2005164847.tif 000011